(57)【要約】【課題】簡単な構造で、コストを抑えつつ、イジェクト機構の強度や耐久性を高くすることができるカード用コネクタを提供する。【解決手段】本発明は、カードが着脱されるカード用コネクタ１０であって、前記カードと接触する接触部１３１と基板に接続する接続部１３３を有する複数のコンタクト１３と、前記コンタクト１３が配列・保持されるハウジング１１と、前記ハウジング１１に装着されるシェル１２と、前記カードのイジェクト機構と、を有し、前記イジェクト機構に回転軸１１３が樹脂製である回転構造を備えるカード用コネクタ１０において、樹脂製の前記回転軸１１３の内側に金属製の補強部材１９を備えることを特徴とするカード用コネクタ１０により達成できる。【選択図】  図３
2016195067.tif 000002
【特許請求の範囲】
【請求項１】
カードが着脱されるカード用コネクタであって、
前記カードと接触する接触部と基板に接続する接続部を有する複数のコンタクトと、
前記コンタクトが配列・保持されるハウジングと、
前記ハウジングに装着されるシェルと、
前記カードのイジェクト機構と、を有し、
前記イジェクト機構に回転軸が樹脂製である回転構造を備えるカード用コネクタにおいて、
樹脂製の前記回転軸の内側に金属製の補強部材を備えることを特徴とするカード用コネクタ。
【請求項２】
前記補強部材は、前記回転軸の内側に入る略円環形状の補強部と、前記ハウジングに固定される固定部と、前記補強部と前記固定部の間の連結部と、を有することを特徴とする請求項１記載のカード用コネクタ。
【発明の詳細な説明】
【技術分野】
【０００１】
本発明は、スマートフォーンを含む携帯電話等の電気機器や電子機器や携帯端末に使用されるカード用コネクタに関するものである。
【背景技術】
【０００２】
カード用コネクタにおける一般的なイジェクト機構としては、手で取り出すタイプやトレイを引き出して取り出すタイプやバネ等の弾性部材を利用して取り出すタイプや回転部材等を利用しテコの原理により取り出すタイプ等が知られている。本発明に関係するテコの原理により取り出すタイプとしては、例えば、特許文献１を挙げる。テコの原理により取り出すタイプのカード用コネクタで使用するイジェクト機構の回転部材の回転軸の材料としては、一般的に樹脂材を用いられることが知られている。
【先行技術文献】
【特許文献】
【０００３】
【特許文献１】特開２００７−１５７３８１号公報
【発明の概要】
【発明が解決しようとする課題】
【０００４】
イジェクト機構の回転部材の回転軸の材料は、一般的に樹脂材が使用されている。しかし、可動部に樹脂材を使用すると強度や耐久性が低いという問題がある。一方、強度や耐久性が高い金属を使用すると、コストが高くなるという問題がある。
【０００５】
本発明は、このような従来の問題点に鑑みてなされたもので、簡単な構造で、コストを抑えつつ、イジェクト機構の強度や耐久性を高くすることができるカード用コネクタを提供する。
【課題を解決するための手段】
【０００６】
本発明の目的は、請求項１記載のように、カードが着脱されるカード用コネクタであって、前記カードと接触する接触部と基板に接続する接続部を有する複数のコンタクトと、前記コンタクトが配列・保持されるハウジングと、前記ハウジングに装着されるシェルと、前記カードのイジェクト機構と、を有し、前記イジェクト機構に回転軸が樹脂製である回転構造を備えるカード用コネクタにおいて、樹脂製の前記回転軸の内側に金属製の補強部材を備えることを特徴とするカード用コネクタにより達成できる。
【０００７】
請求項２の電気コネクタは、前記補強部材は、前記回転軸の内側に入る略円環形状の補強部と、前記ハウジングに固定される固定部と、前記補強部と前記固定部の間の連結部と、を有することを特徴とする請求項１記載のカード用コネクタにある。
【発明の効果】
【０００８】
本発明によれば、イジェクト機構の樹脂製の回転軸の内部に金属製の補強部材を備えることで、コストを抑えつつ、イジェクト機構の強度や耐久性を高くすることができるカード用コネクタを提供できる。
【図面の簡単な説明】
【０００９】
【図１】（Ａ），（Ｂ）本発明によるカード用コネクタ（実施形態）の斜視図である。
【図２】本実施形態のシェルを除いた状態の斜視図である。
【図３】本実施形態のシェルとハウジングを除いた状態の斜視図である。
【図４】（Ａ），（Ｂ）本実施形態のハウジングの斜視図である。
【図５】（Ａ），（Ｂ）本実施形態のシェルの斜視図である。
【図６】本実施形態の６個のコンタクトの斜視図である。
【図７】本実施形態の検出用コンタクトＡの斜視図である。
【図８】本実施形態の検出用コンタクトＢの斜視図である。
【図９】本実施形態の２個の挟持バーの斜視図である。
【図１０】本実施形態のイジェクトバーの斜視図である。
【図１１】本実施形態の回転部材の斜視図である。
【図１２】本実施形態の補強部材の斜視図である。
【発明を実施するための形態】
【００１０】
本発明の主たる特徴は、カード用コネクタのイジェクト機構における樹脂製の回転軸の内側に、金属製の補強部材を備えることで、簡単な構造で、コストを抑えつつ、イジェクト機構の強度や耐久性を高くすることである。
【００１１】
図１〜図１２に本実施形態のカード用コネクタ１０を示す。図に基づいて、本発明の実施形態について以下に説明する。
【００１２】
前記カード用コネクタ１０は所謂micro-SIMカード用のコネクタであり、コンタクト１３と、該コンタクト１３が保持されるハウジング１１と、該ハウジング１１を覆うシェル１２と、前記micro-SIMカードの両側面を挟持する挟持バー１６と、前記micro-SIMカードの挿入状態を検出する検出用コンタクトＡ１７及び検出用コンタクトＢ１８と、前記micro-SIMカードを取り出すためのイジェクト機構であるイジェクトバー１４及び回転部材１５と、回転軸１１３を補強する補強部材１９と、を備えている。以下、それぞれについて説明する。
【００１３】
まず、ハウジング１１について説明する。該ハウジング１１は電気絶縁性のプラスチックであり、公知技術の射出成形によって製作され、この材料としては、寸法安定性や加工性や耐熱性や成形性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やポリフェニレンエーテル（ＰＰＥ）やこれらの合成材料等を挙げることができる。
【００１４】
前記ハウジング１１の中央付近には、micro-SIMカードを収容するカード収容部１１１が設けられ、また、該カード収容部１１１の下側には、コンタクト１３の接触部１３１付近が前記カード収容部１１１側に突出する貫通孔１１２が設けられている。前記カード収容部１１１及び前記貫通孔１１２の形状や数は、カードや前記コンタクト１３の形状等を考慮して適宜設計する。
【００１５】
また、前記ハウジング１１のmicro-SIMカードを挿入する挿入口１１４の反対側には、検出用コンタクトＡ１７及び検出用コンタクトＢ１８が配置・保持される検出用コンタクト収容部１１５と、回転部材１５を収容する回転部材収容部１１６と、前記回転部材１５の回転孔１５１に挿入すると共に補強部材１９の補強部１９１が入る略円柱形状の回転軸１１３が設けられている。前記コンタクト収容部１１５及び前記回転部材収容部１１６の形状は、前記検出用コンタクトＡ１７や前記検出用コンタクトＢ１８や前記回転部材１５の形状等を考慮して適宜設計する。なお、本実施形態では、前記回転軸１１３をハウジング１１と一体としているが、別体としてもよい。
【００１６】
また、前記カード収容部１１１のカード挿抜方向と平行な両側には、前記micro-SIMカードの両側面を挟持する挟持バー１６が配置・保持される挟持バー収容部１１７が設けられ、また、同様の片側には、イジェクトバー１４が配置・保持されるイジェクトバー収容部１１８が設けられている。前記挟持バー収容部１１７及び前記イジェクトバー収容部１１８の形状は、前記挟持バー１６や前記イジェクトバー１４の形状等を考慮して適宜設計する。
【００１７】
また、前記ハウジング１１の両側面にはシェル１２の係合部１２１が係合する係止部１１９が設けられている。前記ハウジング１１は、前記シェル１２の底面側及び側面側に設けられた係合部１２１が、底面及び前記係止部１１９に係合することで、前記シェル１２に保持される。なお、本実施形態では前述のような形状としたが、役割を果たせればどのような形状であってもよく、強度や保持力や加工性等を考慮して適宜設計する。
【００１８】
次に、シェル１２について説明する。該シェル１２は金属製であり、公知技術のプレス加工によって製作され、この材質としては、ＥＭＩ特性やバネ性や強度や加工性やめっき性や低コスト等が要求されるので、ステンレス鋼（ＳＵＳ）や黄銅やベリリウム銅やリン青銅や鉄や等を挙げることができる。
【００１９】
前記シェル１２は、主に、ＥＭＩ対策として電磁シールドを目的とするものであり、前記ハウジング１１の上面及び両側面の大部分と底面及び挿入口１１４の反対側の面の一部を覆う。前記シェル１２は、底面側に設けられた係合部１２１が前記ハウジング１１の底面に係合し、側面側に設けられた係合部１２１が前記ハウジング１１の係止部１１９に係合することで、前記ハウジング１１を保持する。なお、本実施形態では前述のような形状としたが、役割を果たせればどのような形状であってもよく、強度や保持力や加工性等を考慮して適宜設計する。
【００２０】
次に、コンタクト１３について説明する。該コンタクト１３は金属製であり、公知技術のプレス加工やエッチング加工によって製作されている。前記コンタクト１３の材質としては、寸法安定性や加工性や強度やバネ性や導電率やクリープ特性やめっき性や低コスト等が要求されるので、黄銅やリン青銅やベリリウム合金やコルソン系合金等を挙げることができる。
【００２１】
前記コンタクト１３は、カードに接触する接触部１３１と、ハウジング１１に固定される固定部１３２と、基板に実装される接続部１３３と、を備えている。また、前記カードと接触する際に接触弾性を持たせる形状としている。
【００２２】
また、前記コンタクト１３は、前記接触部１３１が前記ハウジング１１の貫通孔１１２を通してカード収容部１１１内に配置されるように、一体成型により該ハウジング１１に固定されている。本実施形態では前述のような保持手段としたが、役割を果たせればどのような手段でもよく、保持力や加工性等を考慮して適宜設計する。他の保持・固定手段としては、例えば、引っ掛けや圧入等が考えられる。
【００２３】
なお、本実施形態の６個の前記コンタクト１３は、図に示すように形状自体が異なるものがあるが基本的な構成は同様であり、また、コンタクトの数や形状はカードの形状に応じて適宜設計する。
【００２４】
次に、検出用コンタクト１７，１８について説明する。該検出用コンタクト１７，１８は、互いの接触による検出用回路の導通の有無により、カードがカード用コネクタ１０内に正しく挿入されているかどうかを検出するためのものである。
【００２５】
前記検出用コンタクト１７，１８は金属製であり、公知技術のプレス加工やエッチング加工によって製作されている。前記検出用コンタクト１７，１８の材質としては、寸法安定性や加工性や強度やバネ性や導電率やクリープ特性やめっき性や低コスト等が要求されるので、黄銅やリン青銅やベリリウム合金やコルソン系合金や等を挙げることができる。
【００２６】
前記検出用コンタクトＡ１７には、前記検出用コンタクトＢ１８と接触する接触部１７１と、前記カードに押圧される押圧部１７２と、ハウジング１１に圧入によって保持される固定部１７３と、基板に実装される接続部１７４と、を備えている。また、前記カードが接触する際に接触弾性を持たせる形状としている。
【００２７】
前記検出用コンタクトＢ１８には、前記検出用コンタクトＡ１７と接触する接触部１８１と、ハウジング１１に圧入によって保持される固定部１８３と、基板に実装される接続部１８２と、を備えている。
【００２８】
前記カードがカード用コネクタ１０内に完全に挿入されていない状態では、前記検出用コンタクトＡ１７の接触部１７１と前記検出用コンタクトＢ１８の接触部１８１とが接触しているため、前記検出用回路が導通状態である。前記カードがカード用コネクタ１０内に完全に挿入されると、前記カードの挿入先端が前記検出用コンタクトＡ１７の押圧部１７２を押圧し、前記検出用コンタクトＡ１７の接触部１７１と前記検出用コンタクトＢ１８の接触部１８１との接触状態が解除され、前記検出用回路が未導通状態となる。
【００２９】
なお、本実施形態では前述のような形状や前記ハウジング１１への保持手段やカード挿入の検出手段としたが、役割を果たせればどのような形状や保持手段や検出手段であってもよく、強度や接触安定性や保持力や加工性等を考慮して適宜設計する。
【００３０】
次に、挟持バー１６について説明する。該挟持バー１６は、カード挿入状態において前記カードの両側面を挟持して前記カードの脱落を防止するものであり、ハウジング１１に固定される固定部１６２と前記カードを挟持する挟持部１６１を有する。前記挟持バー１６は、前記ハウジング１１の挟持バー収容部１１７に、前記挟持部１６１付近がカード収容部１１１側に付勢されるように配置される。
【００３１】
また、前記挟持バー１６の挟持部１６１は電気絶縁性のプラスチックであり、公知技術の射出成形によって製作され、この材料としては、寸法安定性や加工性や耐熱性や成形性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やポリフェニレンサルファイド（ＰＰＳ）やポリフェニレンエーテル（ＰＰＥ）やこれらの合成材料等を挙げることができる。
【００３２】
また、前記挟持バー１６の挟持部１６１以外は金属製であり、公知技術のプレス加工やエッチング加工によって製作されている。前記検出用コンタクト１７，１８の材質としては、寸法安定性や加工性や強度やバネ性やクリープ特性や低コスト等が要求されるので、黄銅やリン青銅やベリリウム合金やコルソン系合金やステンレス鋼や鉄等を挙げることができる。
【００３３】
なお、本実施形態では前述のような挟持手段や固定手段や材料としたが、役割を果たせればどのような挟持手段や固定手段や材料であってもよく、強度や安定性や保持力や加工性等を考慮して適宜設計する。
【００３４】
次に、イジェクトバー１４について説明する。該イジェクトバー１４は金属製であり、公知技術のプレス加工やエッチング加工や金属射出成型やダイキャストによって製作されている。前記イジェクトバー１４の材質としては、寸法安定性や加工性や強度やバネ性やクリープ特性や成形性や低コスト等が要求されるので、黄銅やリン青銅やベリリウム合金やコルソン系合金やステンレス鋼やアルミニウムや鉄等を挙げることができる。
【００３５】
前記イジェクトバー１４は、カード用コネクタ１０内からカードを取り出す際に使用する部品の一部であり、同じくカードを取り出す際に使用する部品の一部である回転部材１５と係合する凹部１４２とカードを取り出す際に指で押圧するプッシュ部１４１を有する。前記イジェクトバー１４は、前記ハウジング１１のイジェクトバー収容部１１８に、カード挿抜方向に可動可能に配置される。
【００３６】
なお、本実施形態では前述のような形状や材料としたが、役割を果たせればどのような形状や材料であってもよく、強度や安定性や加工性等を考慮して適宜設計する。
【００３７】
次に、回転部材１５について説明する。該回転部材１５は金属性であり、公知技術のプレス加工やエッチング加工や金属射出成型やダイキャストによって製作されている。前記回転部材１５の材質としては、寸法安定性や加工性や強度やクリープ特性や成形性や低コスト等が要求されるので、黄銅やリン青銅やベリリウム合金やコルソン系合金やステンレス鋼やアルミニウムや鉄等を挙げることができる。
【００３８】
前記回転部材１５は、カード用コネクタ１０内からカードを取り出す際に使用する部品の一部であり、同じくカードを取り出す際に使用する部品の一部であるイジェクトバー１４と係合する係合部１５２と回転軸１１３が挿入される回転孔１５１を有する。前記回転部材１５は、前記ハウジング１１の回転部材収容部１１６に、前記回転孔１５１を中心に回転可能に配置される。
【００３９】
なお、本実施形態では前述のような形状や材料としたが、役割を果たせればどのような形状や材料であってもよく、強度や安定性や加工性等を考慮して適宜設計する。
【００４０】
次に、本発明のポイントである補強部材１９について説明する。該補強部材１９は金属製であり、公知技術のプレス加工やエッチング加工によって製作されている。前記補強部材１９の材質としては、寸法安定性や加工性や強度や低コスト等が要求されるので、黄銅やリン青銅やベリリウム合金やコルソン系合金やステンレス鋼や鉄等を挙げることができる。
【００４１】
前記補強部材１９は、ハウジング１１の回転軸１１３の内部に入る略円環形状の補強部１９１と、前記ハウジング１１に固定される固定部１９２と、前記補強部１９１と前記固定部１９２とを連結する連結部１９３と、を備えている。前記補強部材１９は、一体成型により前記ハウジング１１に固定される。
【００４２】
前述のように、イジェクト機構の樹脂製の回転軸１１３の内部に金属製の補強部材１９を備えることで、コストを抑えつつ、イジェクト機構の強度や耐久性を高くすることができる。これが本願発明のポイントである。
【００４３】
なお、本実施形態では前述のような形状や前記ハウジング１１への固定手段としたが、役割を果たせればどのような形状や固定手段であってもよく、強度や保持力や加工性等を考慮して適宜設計する。他の固定手段としては、例えば、圧入等が考えられる。
【００４４】
なお、本発明をmicro-SIMカード用コネクタに適用した実施形態を説明したが、他のカード用コネクタにも適用できる。
【符号の説明】
【００４５】
１０      カード用コネクタ
１１      ハウジング
１１１    カード収容部
１１２    貫通孔
１１３    回転軸
１１４    挿入口
１１５    検出用コンタクト収容部
１１６    回転部材収容部
１１７    挟持バー収容部
１１８    イジェクトバー収容部
１１９    係止部
１２      シェル
１２１    係合部
１３      コンタクト
１３１    接触部
１３２    固定部
１３３    接続部
１４      イジェクトバー
１４１    プッシュ部
１４２    凹部
１５      回転部材
１５１    回転孔
１５２    係合部
１６      挟持バー
１６１    挟持部
１６２    固定部
１７      検出用コンタクトＡ
１７１    接触部
１７２    押圧部
１７３    固定部
１７４    接続部
１８      検出用コンタクトＢ
１８１    接触部
１８２    接続部
１８３    固定部
１９      補強部材
１９１    補強部
１９２    固定部
１９３    連結部
【図１】
2016195067.tif 000003
【図２】
2016195067.tif 000004
【図３】
2016195067.tif 000005
【図４】
2016195067.tif 000006
【図５】
2016195067.tif 000007
【図６】
2016195067.tif 000008
【図７】
2016195067.tif 000009
【図８】
2016195067.tif 000010
【図９】
2016195067.tif 000011
【図１０】
2016195067.tif 000012
【図１１】
2016195067.tif 000013
【図１２】
2016195067.tif 000014